(57)【要約】      （修正有）【課題】排出酸性ガス量の低減と共に、浄化処理コストの低減ができ、浄化物がアルカリ性になる虞も少ない汚染物の浄化方法の提供。【解決手段】有機ハロゲン化合物に汚染された汚染物を還元加熱する還元加熱工程と、該工程により生成した排ガスを浄化する排ガス処理工程とを備え、前記排ガス処理工程は、排ガスと油とを接触させ、排ガス中の未分解有機ハロゲン化合物を油に吸収させる油洗浄工程と、油洗浄工程後の油にアルカリ金属を加えて油中の有機ハロゲン化合物を分解する分解工程と、分解工程後の油に水を添加して、油中のアルカリ金属及びハロゲン化アルカリ金属塩を水に吸収させる水和工程とを備えた汚染物の浄化方法であって、前記排ガス処理工程は、排ガスと水とを接触させることにより排ガス中の分解生成物である酸性ガスを水に吸収させる水洗浄工程を更に備え、該水洗浄工程後の水を前記水和工程にて油に添加する水として用いる方法。【選択図】図１
2006218392.tif 000002
【特許請求の範囲】
【請求項１】
有機ハロゲン化合物に汚染された汚染物を還元加熱することにより、該汚染物を浄化する還元加熱工程と、該還元加熱工程により生成した排ガスを浄化する排ガス処理工程とを備え、
前記排ガス処理工程は、排ガスと油とを接触させることにより排ガス中に含まれる未分解の有機ハロゲン化合物を油に吸収させる油洗浄工程と、油洗浄工程後の有機ハロゲン化合物を吸収した油にアルカリ金属を加えて有機ハロゲン化合物を分解する分解工程と、分解工程後の油に水を添加して、油中のアルカリ金属及びハロゲン化アルカリ金属塩を水に吸収させる水和工程とを備えてなる汚染物の浄化方法であって、
前記排ガス処理工程は、排ガスと水とを接触させることにより、排ガス中に含まれる有機ハロゲン化合物の熱分解生成物たる酸性ガスを水に吸収させる水洗浄工程を更に備え、該水洗浄工程により酸性ガスが吸収された水を前記水和工程にて油に添加する水として用いることを特徴とする汚染物の浄化方法。
【請求項２】
前記水洗浄工程は、油洗浄工程後の排ガスを水と接触させる工程である請求項１記載の汚染物の浄化方法。
【請求項３】
有機ハロゲン化合物に汚染された汚染物を還元加熱し該汚染物を浄化する還元加熱装置と、該還元加熱装置により生成された排ガスを浄化する排ガス処理装置とを備え、
前記排ガス処理装置は、排ガスと油とを接触させることにより排ガス中に含まれる未分解の有機ハロゲン化合物を油に吸収させる油洗浄装置と、該油洗浄装置により有機ハロゲン化合物を吸収した油に、アルカリ金属を加えて有機ハロゲン化合物を分解する分解装置と、該分解装置により有機ハロゲン化合物が分解された油に、水を加えて油中のアルカリ金属及びハロゲン化アルカリ金属塩を水に吸収させる水和装置とを備えてなる汚染物の処理装置であって、
前記排ガス処理装置は、排ガスと水とを接触させることにより排ガス中に含まれる有機ハロゲン化合物の熱分解生成物たる酸性ガスを水に吸収させる水洗浄装置を備え、該水洗浄装置により排ガスを吸収した水が、前記水和装置の油に添加する水として用いられるように構成されていることを特徴とする汚染物の浄化装置。
【請求項４】
前記水洗浄装置は、前記油洗浄装置により有機ハロゲン化合物が油に吸収された後の排ガスと水とを接触させるように構成されてなる請求項３記載の汚染物の浄化装置。
【発明の詳細な説明】
【技術分野】
【０００１】
本発明は、ＢＨＣ、ＨＣＢ、ＤＤＴ、ドリン剤、ＰＣＢ、ダイオキシン等の有機ハロゲン化合物に汚染された汚染物、特に、ＢＨＣ、ＨＣＢ、ＤＤＴ、ドリン剤等に汚染された農薬、該農薬を含む土等の浄化方法及びその装置に関する。
【背景技術】
【０００２】
従来、この種の汚染物の浄化方法としては、汚染物を還元加熱して有機ハロゲン化合物を熱分解させると共に、生成した排ガスを浄化する方法が採用されている（特許文献１）。
そして、生成した排ガスを浄化する方法として詳しくは、先ず、油との接触により排ガス中に含まれる未分解の有機ハロゲン化合物を油に吸収させ、該油にナトリウムを添加して有機ハロゲン化合物を分解し、次いで、該油に水を添加して油中のアルカリ金属及び反応生成物（ハロゲン化アルカリ金属塩）を水に吸収させ、該水を分離除去した後、残存する油を有機ハロゲン化合物の吸収に再利用する方法が採用されている。
【特許文献１】特開２００３−２２５６４３号公報
【発明の開示】
【発明が解決しようとする課題】
【０００３】
斯かる従来の方法によれば、還元加熱により汚染物を浄化することができ、また、還元加熱により生成した排ガスに含まれる有機ハロゲン化合物を油に吸収させてアルカリ金属により分解できるので、排ガスも浄化することができる。
【０００４】
しかしながら、斯かる従来の方法に於いては、汚染物を還元加熱すると、還元加熱後の排ガスには有機ハロゲン化合物以外に有機ハロゲン化合物の熱分解により生成した酸性ガス（例えば、塩素ガス、塩酸ガス等）が含まれることとなるため、そのまま排ガスを系外（大気中）に放出できないという問題がある。特に、農薬のように有機ハロゲン化合物濃度が数％〜数十％である汚染物を浄化処理する場合には、排ガス中に多量の酸性ガスが含まれることとなるため、この問題はより大きなものとなる。
【０００５】
これに対して、還元加熱前に、汚染物に過剰の中和剤を添加する方法も考えられるが、このような方法では、多量の中和剤が必要になるため、浄化処理にコストがかかると共に、還元加熱された浄化物（汚染物を浄化したもの）がアルカリ性になるという問題がある。
一方、還元加熱する前に中和剤を添加せず、排ガス中の酸性ガスを水との接触により水に吸収させる方法も考えられるが、このような方法であっても、酸性ガスを吸収した水の排水処理にコストがかかり、結局、浄化処理全体としてコストがかかることとなる。
【０００６】
従って、本発明は、上記問題点に鑑み、排出される酸性ガスの量を低減できると共に、浄化処理のコストを低減でき、しかも、浄化物がアルカリ性になる虞も少ない汚染物の浄化方法およびその装置を提供することを課題とする。
【課題を解決するための手段】
【０００７】
上記課題を解決すべく、本発明は、有機ハロゲン化合物に汚染された汚染物を還元加熱することにより、該汚染物を浄化する還元加熱工程と、該還元加熱工程により生成した排ガスを浄化する排ガス処理工程とを備え、
前記排ガス処理工程は、排ガスと油とを接触させることにより排ガス中に含まれる未分解の有機ハロゲン化合物を油に吸収させる油洗浄工程と、油洗浄工程後の有機ハロゲン化合物を吸収した油にアルカリ金属を加えて有機ハロゲン化合物を分解する分解工程と、分解工程後の油に水を添加して、油中のアルカリ金属及びハロゲン化アルカリ金属塩を水に吸収させる水和工程とを備えてなる汚染物の浄化方法であって、
前記排ガス処理工程は、排ガスと水とを接触させることにより排ガス中に含まれる有機ハロゲン化合物の熱分解生成物たる酸性ガスを水に吸収させる水洗浄工程を更に備え、該水洗浄工程により酸性ガスが吸収された水を前記水和工程にて油に添加する水として用いることを特徴とする汚染物の浄化方法を提供する。
【０００８】
本発明に於いては、還元加熱工程により有機ハロゲン化合物が分解して酸性ガス（ハロゲンガス、ハロゲン化水素）が生成し、該酸性ガスが排ガス中に含まれることとなるが、水洗浄工程により排ガス中の酸性ガスを水に吸収させることから、酸性ガスの排出量を低減できる。
更に、水洗浄工程により、酸性ガスが溶け込んだ酸性の水が生じることとなるが、この水は、水和工程に於ける油に添加する水として利用することにより、分解工程後の油中に存在するアルカリ金属によって中和されることとなる。
従って、酸性ガスが溶け込んだ水の排水処理にコストがかかるという虞も低減できる。また、還元加熱工程前に予め汚染物に中和剤を添加しておく必要がなく、浄化処理のコストを低減できると共に、浄化物がアルカリ性となる虞も低減できる。
【０００９】
本発明に係る汚染物の浄化方法に於いて、前記水洗浄工程は、油洗浄工程後の排ガスを水と接触させる工程であるのが好ましい。
斯かる方法によれば、油洗浄工程を経た排ガスを水洗浄工程で水と接触させることから、有機ハロゲン化合物が油に吸収される前に水洗浄工程にて水に吸収されることがなく、有機ハロゲン化合物が分解工程の処理（分解）を受けずにそのまま系外に排出されという虞が低減される。
【００１０】
また、本発明は、有機ハロゲン化合物に汚染された汚染物を還元加熱し該汚染物を浄化する還元加熱装置と、該還元加熱装置により生成された排ガスを浄化する排ガス処理装置とを備え、
前記排ガス処理装置は、排ガスと油とを接触させることにより排ガス中に含まれる未分解の有機ハロゲン化合物を油に吸収させる油洗浄装置と、該油洗浄装置により有機ハロゲン化合物を吸収した油に、アルカリ金属を加えて有機ハロゲン化合物を分解する分解装置と、該分解装置により有機ハロゲン化合物が分解された油に、水を加えて油中のアルカリ金属及びハロゲン化アルカリ金属塩を水に吸収させる水和装置とを備えてなる汚染物の処理装置であって、
前記排ガス処理装置は、排ガスと水とを接触させることにより排ガス中に含まれる有機ハロゲン化合物の熱分解生成物たる酸性ガスを水に吸収させる水洗浄装置を備え、該水洗浄装置により排ガスを吸収した水が、前記水和装置の油に添加する水として用いられるように構成されていることを特徴とする汚染物の浄化装置を提供する。
【００１１】
本発明に係る汚染物の浄化装置に於いては、前記水洗浄装置が、前記油洗浄装置により有機ハロゲン化合物が油に吸収された後の排ガスと水とを接触させるように構成されてなるものが好ましい。
【発明の効果】
【００１２】
以上の通り、本発明によれば、浄化処理のコストを低減できると共に、浄化物がアルカリ性になる虞も低減できる。
【発明を実施するための最良の形態】
【００１３】
以下、本発明の実施の形態について、図面を参照しつつ説明する。
図１は、第１実施形態の汚染物の浄化装置を示す概略図である。
図１に示すように、本実施形態の汚染物Ａの浄化装置は、有機塩素化合物に汚染された汚染物Ａを還元加熱し、該汚染物Ａを浄化する還元加熱装置１と、該還元加熱装置１により生成された排ガスＤを浄化する排ガス処理装置１０とを備えて構成されている。
尚、本実施形態に於いては、汚染物Ａとして、農薬及び水分を含む土（含水率２５〜３５重量％の土）が採用されている。
【００１４】
前記還元加熱装置１は、内部で汚染物Ａを加熱する円筒状の加熱炉２と、該加熱炉２内を還元雰囲気にすべく加熱炉２内に窒素Ｂを供給する窒素供給装置３と、前記加熱炉２を加熱する燃焼装置６と、前記加熱炉２内に汚染物Ａを導入する汚染物導入部４と、加熱炉２から排出された浄化物（汚染物Ａが浄化されたもの）を冷却する冷却器５とを備えて構成されている。
前記還元加熱装置１は、加熱炉２内で有機塩素化合物が酸化することによってダイオキシン等の有害物質が生成されることを防止すべく、還元雰囲気、詳しくは、酸素濃度が３ｖｏｌ％以下好ましくは１ｖｏｌ％以下となるように設定されている。
また、前記加熱炉２の炉内温度が通常３５０〜７００℃、好ましくは、４５０〜６００℃で、汚染物Ａが加熱炉２内に導入されてから通常２０〜１８０分、好ましくは３０〜１２０分で排出されるように設定されている。
【００１５】
前記排ガス処理装置１０は、前記加熱炉２から排出された排ガスＤ中に含まれるダストを除去するための集塵装置１１と、ダストが除去された排ガスＤと油Ｃとを接触させることにより、気化によって排ガスＤ中に含まれることとなった未分解の有機塩素化合物を油Ｃに吸収させて洗浄除去する油洗浄装置１２と、該油洗浄装置１２により洗浄された排ガスＤと水Ｅとを接触させることにより、排ガスＤ中に含まれている酸性ガスを水Ｅに吸収させて洗浄除去する水洗浄装置１７と、該油洗浄装置１２により有機塩素化合物を吸収した油Ｃにアルカリ金属を加えて有機塩素化合物を分解する分解装置１４と、該分解装置１４により有機塩素化合物が分解された油Ｃに、水Ｅを加えて油Ｃ中のアルカリ金属及び塩化アルカリ金属塩を水Ｅに抽出させる水和装置１５と、水和装置１５に於ける水和により生成された水和液を水Ｅと油Ｃとに分離する油水分離装置１６とを備えて構成されている。
更に、本実施形態に於いては、有機塩素化合物を吸収することとなった油Ｃに分解装置１４にてアルカリ金属を加える前に、油Ｃと油Ｃに混じる凝縮水Ｅとを分離する油水分離装置１３を備えている。即ち、本実施形態に於いては、汚染物Ａとして水分を含む土が採用されていることから、排ガスＤ中には水分が含まれ、油洗浄装置１２により有機塩素化合物を吸収した油Ｃには、排ガスＤ中の水分が凝縮した凝縮水Ｅが混じることになるが、該凝縮水Ｅは、分解装置１４にてアルカリ金属が加えられる前に、油水分離装置１３によって油Ｃと分離されるようになっている。
【００１６】
前記集塵装置１１としては、具体的には、排ガスＤを高温（通常１８０〜３００℃）に維持しながら集塵を行うことのできるバグフィルターが採用されている。尚、温度が低い場合、未分解の有機塩素化合物がスケーリングする虞がある。
【００１７】
前記油洗浄装置１２としては、一般に、筒内に於いて互いに衝突するようにガスと洗浄剤たる液体とを流すことにより、ガスと洗浄剤とを接触させてガスを洗浄する装置（所謂スクラバー）であって、洗浄剤として油Ｃが用いられたオイルスクラバー１２と称されるものが用いられている。
前記オイルスクラバー１２は、筒状に形成され且つ縦置きに配されて、内部で気液接触が行われるスクラバー本体１２ａを備え、該スクラバー本体１２ａは、中段からバグフィルター１１によりダストの除去された排ガスＤが供給され、排ガスＤと油Ｃとが接触するように上方から油Ｃが散布されるように構成されている。
更に、前記オイルスクラバー１２は、下部の底から該油Ｃ及び凝縮した水Ｅが、最上部から有機塩素化合物の除去された排ガスＤが排出されるように構成されている。
また、前記オイルスクラバー１２は、スクラバー本体１２ａ下部に、散布した油Ｃ及び凝縮した水Ｅが貯留されるようになっており、更に、スクラバー本体１２ａの下部に貯留された油Ｃを循環させうるように構成されている。
具体的には、スクラバー本体１２ａの下部から油Ｃを抜き出し、抜き出された油Ｃをポンプ２３により上方に供給し、上方から再度散布しうる油循環機構を備えて構成されている。
尚、本実施形態に於いては、前記油Ｃとしては、水Ｅと層分離して下層に水層、上層に油層が形成されるように、水Ｅよりも比重の軽い炭化水素油Ｃが用いられて構成されている。
炭化水素油Ｃとしては特に限定されず、例えば沸点が９０℃以上のものを利用でき、鎖式炭化水素油、芳香族炭化水素油、脂環式炭化水素油を利用できるが、処理対象が農薬含有汚染物Ａであることから、芳香族炭化水素又は脂環式炭化水素を利用することが好ましい。これは農薬に含まれる有機塩素化合物の構造が芳香族もしくは脂環式であるため、洗浄剤（有機塩素化合物を吸収する油Ｃ）として芳香族炭化水素又は脂環式炭化水素を使用することで、未分解の有機塩素化合物をより溶解させることができるためである。
尚、鎖式の炭化水素としては、炭素数９〜１３のノルマルパラフィンを挙げることができ、市販品としては、商品名「ＮＳクリーン」（ジャパンエナジー社製）を挙げることができる。ノルマルパラフィンは、後段の分解装置１４（分解工程）に於いてアルカリ金属を添加した際に、アルカリ金属と反応し難く、しかも、有機ハロゲン化合物（本実施形態に於いては有機塩素化合物）を溶解し易いという利点がある。また、芳香族または脂環式の炭化水素油としてはトルエン、キシレン、ジメチルベンゼン等を挙げることができ、市販品としては、商品名「ＥＭクリーン」（ジャパンエナジー社製）等を挙げることができる。
更に、前記オイルスクラバー１２には、スクラバー本体１２ａ下部に於ける水層と油層との界面位を認知するセンサーが備えられてなり（図示せず）、水層と油層との界面が油抜き出し位置よりも上になる前に、底から油Ｃ及び水Ｅが排出されるようになっている。
【００１８】
前記水洗浄装置１７は、所謂水スクラバー１７と称されるもので、該水スクラバー１７は、内部で気液接触が行われる円筒状で縦置きに配されたスクラバー本体１７ａを備え、該スクラバー本体１７ａは、中段からオイルスクラバー１２を経た排ガスＤが供給され、排ガスＤと水Ｅとが接触するように上方から水Ｅが散布されるように構成されている。
更に、前記水スクラバー１７は、スクラバー本体１７ａ下部の底から水Ｅが、最上部から有機塩素化合物及び酸性ガスの除去された排ガスＤが排出されるように構成されている。
また、前記水スクラバー１７は、スクラバー本体１７ａの下部に、散布した水Ｅが貯留されるように構成されてなり、更に、貯留された水Ｅを抜き出し、ポンプ２２により上方に供給し、上方から散布する水循環機構を備えて構成されている。
尚、本実施形態に於いては、水スクラバー１７から排出された排ガスＤは、微量のダストを除去する活性炭吸着塔２６を介して大気中に放出されるように構成されている。
【００１９】
前記油水分離装置１３は、オイルスクラバー１２から排出された油Ｃ及び水Ｅを静置分離により分離する装置であり、貯留槽を備え、油Ｃを貯留槽上部から、水Ｅを下部から排出しうるように構成されている。
【００２０】
前記分解装置１４は、反応槽を備え、前記油水分離装置１３により水Ｅと分離された油Ｃにアルカリ金属を添加し、具体的にはナトリウムを分散体の状態で添加し、反応槽内で油Ｃに含まれる有機塩素化合物を脱塩素化させる装置である。この分解装置１４に於いては、未分解のまま有機塩素化合物が残存しないように、過剰の（脱塩素化に理論上必要なアルカリ金属よりも多い）アルカリ金属が添加されるように設定されている。
【００２１】
前記水和装置１５は、分解装置１４によって有機塩素化合物が分解され且つ未反応のアルカリ金属及び反応生成物（塩化ナトリウム塩）を含む油Ｃに、水Ｅを添加してアルカリ金属及び反応生成物を水Ｅに抽出させて、水Ｅ及び油Ｃとを含む水和液を排出する装置である。
【００２２】
本実施形態に於いては、水和装置１５で添加される水Ｅとして、水スクラバー１７から排出された水Ｅ、即ち、前記水スクラバー１７により酸性ガスを吸収した水Ｅが用いられるように構成され、更に、前記油水分離装置１３により有機塩素化合物を吸収した油Ｃと分離された水Ｅも、水和装置１５で添加される水Ｅとして用いられるように構成されている。
具体的には、前記油水分離装置１３から排出された水Ｅ及び水スクラバーから排出された水Ｅを貯留する水和用水貯留槽３０が備えられ、水和装置１５にて添加する水Ｅとして、該水和用水貯留槽３０内の水Ｅが水和装置１５に供給されるように構成されている。
前記水和装置１５に於いては、油Ｃ中に残存するアルカリ金属及び反応生成物が水Ｅに溶解されると共に、アルカリ金属が水Ｅに含まれる塩素、塩酸によって中和されることとなる。
従って、水和装置１５内の水Ｅを中性域に保つことが可能となると共に、アルカリ金属の溶解した水Ｅ及び酸性ガスを吸収した水Ｅをそれぞれ排水処理するためのコストが低減されることとなる。
【００２３】
前記油水分離装置１６は、水和装置１５から排出される水和液を静置分離や蒸留等によって水Ｅと油Ｃに分離して排出する装置である。
本実施形態に於いて、油水分離装置１６から排出された油Ｃ及び水Ｅは、それぞれオイルスクラバー１２及び水スクラバー１７に於いて散布される油Ｃ及び水Ｅとして再利用されうるように構成され、更に、複数回循環した後に排出されうるように構成されている。
【００２４】
本実施形態の汚染物Ａの浄化装置は、上記の如く構成されてなるが、次に、該装置を用いた汚染物Ａの浄化方法について説明する。
【００２５】
本実施形態の汚染物Ａの浄化方法は、有機塩素化合物に汚染された汚染物Ａを還元加熱することにより該汚染物Ａを浄化する還元加熱工程と、該還元加熱工程により生成した排ガスＤを浄化する排ガス処理工程とを備え、
前記排ガス処理工程は、排ガスＤと油Ｃとを接触させることにより排ガスＤ中に含まれる未分解の有機塩素化合物を油Ｃに吸収させる油洗浄工程と、油洗浄工程後の排ガスＤと水Ｅとを接触させることにより排ガスＤ中に含まれる有機塩素化合物の熱分解生成物たる酸性ガスを水Ｅに吸収させる水洗浄工程と、油洗浄工程後の有機塩素化合物を抽出した油Ｃにアルカリ金属を加えて有機塩素化合物を分解する分解工程と、分解工程後の油Ｃに水Ｅを添加して、油Ｃ中のアルカリ金属及び塩素化アルカリ金属塩を水Ｅに抽出させる水和工程とを備えてなる。
【００２６】
本実施形態に於いては、先ず、還元雰囲気下で汚染物Ａを加熱する前記還元加熱工程を行う。
具体的には、窒素供給装置３により加熱炉２内に窒素Ｂを供給して還元雰囲気とし、燃焼装置６により加熱炉２を加熱した状態で、中和剤を添加することなく、汚染物導入部４から汚染物Ａを加熱炉２内に導入して還元加熱する。
斯かる操作により、加熱炉２内では有機塩素化合物の一部が熱分解する共に、未分解の有機塩素化合物及び水分が蒸発する。
また、未分解の有機塩素化合物及び水分は、排ガスＤ中の成分として加熱炉２の外部に排出される。
【００２７】
次いで、還元加熱工程により生成した排ガスＤを浄化する排ガス処理工程を行う。
排ガス処理工程に於いては、排ガスＤと油Ｃとを接触させることにより排ガスＤ中に含まれる未分解の有機塩素化合物を油Ｃに吸収させる油洗浄工程と、油洗浄工程後の排ガスＤと水Ｅとを接触させることにより酸性ガスを水Ｅに吸収させる水洗浄工程とを実施することにより、排ガスＤを洗浄する。
具体的には、先ず、加熱炉２からの排ガスＤをオイルスクラバー本体１２ａに供給し、オイルスクラバー本体１２ａ内にて、油Ｃを上方から散布することにより排ガスＤと油Ｃとを十分に接触させて、排ガスＤ中の有機塩素化合物を油Ｃに吸収させる。
斯かる操作により、オイルスクラバー本体１２ａ内では、排ガスＤから有機塩素化合物が除去されると共に、有機塩素化合物を吸収した油Ｃと排ガスＤ中の水分が凝縮し且つ塩素ガス、塩酸ガスの一部が溶け込んだ水Ｅとが下部に貯留されることとなる。
次いで、油Ｃと接触して有機塩素化合物が除去された排ガスＤをオイルスクラバー本体１２ａの最上部から排出して水スクラバー１７に供給し、水スクラバー本体１７ａ内にて、水Ｅを上方から散布することにより排ガスＤと水Ｅとを十分に接触させる。
斯かる操作により、オイルスクラバー１２から排出される排ガスＤ中に含まれる塩素ガス、塩酸ガスが排ガスＤから除去されることとなる。
【００２８】
前記排ガス処理工程に於いて、油洗浄工程により有機塩素化合物を吸収した油Ｃは、先ず、油水分離により該油Ｃに混じる凝縮水Ｅと分離する。
具体的には、オイルスクラバー１２の底から排出される油Ｃと水Ｅとを油水分離装置１３の貯留槽内に供給し、静置分離により、油Ｃと水Ｅとに分離する。
尚、分離した水Ｅを、水スクラバー１７から排出される水Ｅと共に水和用水貯留槽３０に供給して貯留する。
【００２９】
次いで、水Ｅが分離された油Ｃ中にアルカリ金属を加えて有機ハロゲン化合物を分解する分解工程を行う。
具体的には、水Ｅが分離された油Ｃを分解装置１４の反応槽に供給し、更に、過剰のナトリウム分散体、反応促進剤としての低級アルコール（例えば、イソプロピルアルコール）を添加し、該反応槽内に於いて脱塩素化反応（分解）を行う。
尚、ナトリウム分散体の添加量は、分解に要する理論当量の２〜４倍となる量とするのが好ましい。
【００３０】
次いで、分解工程後の油Ｃに水Ｅを添加して、油Ｃ中のアルカリ金属及び塩素化アルカリ金属塩を水Ｅに吸収させる水和工程を行う。この水和工程に於いては、添加する水Ｅとして、水スクラバー１７から排出された酸性ガスを吸収した水Ｅ及びオイルスクラバー１２から排出されて油Ｃと分離された水Ｅを用いる。
具体的には、有機塩素化合物が分解された反応槽内の油Ｃを水和装置１５の水和槽に供給し、更に、水和用水貯留槽３０に貯留された水Ｅを水和槽に供給することにより水和を行う。
斯かる操作により、油Ｃ中に存在する未反応のアルカリ金属（ナトリウム）及び塩素化アルカリ金属塩（塩化ナトリウム）は、水Ｅに吸収され、アルカリ金属（ナトリウム）は水Ｅに溶解していた塩素、塩化水素によって中和される。
【００３１】
次いで、水和後の油Ｃ及び水Ｅの混合液を油水分離装置１６に供給し、静置分離又は蒸留により油Ｃと水Ｅとを分離し、分離した油Ｃをオイルスクラバー１２にて散布する油Ｃとして、分離した水Ｅを水スクラバー１７にて散布する水Ｅとして再利用する。
【００３２】
本実施形態に於ける汚染物Ａの浄化方法（装置）に於いては、排ガスＤをオイルスクラバー１２に通した後、水スクラバー１７に通すことから、最終的に外部に排出する排ガスＤに含まれる塩素ガス及び塩酸ガスの量を極めて微量とすることができ、環境が汚染される虞を低減できる。また、先ずオイルスクラバー１２に通し、次いで、水スクラバー１７に通すことから、水Ｅに有機塩素化合物が溶解し、該有機塩素化合物が分解工程を経ずに外部に排出されるような事態の発生を抑制できる。
また、本実施形態に於ける汚染物Ａの浄化方法（装置）に於いては、オイルスクラバー１２から排出され油水分離された水Ｅや水スクラバー１７から排出された水Ｅには、微量の有機塩素化合物が混入している虞もあるが、該水Ｅを水和装置１５にて油Ｃに添加する水Ｅとして利用することから、水Ｅ中の有機塩素化合物は、水和の際に、アルカリ金属を含む油Ｃに吸収されることとなる。その結果、後段の水処理の負担軽減が期待される。これは、水Ｅの添加される油Ｃが、アルカリ金属が添加されたために殆ど有機塩素化合物を含まれないものとなっているため、この油Ｃに有機塩素化合物を微量に含む水Ｅを接触させると、水Ｅ中の有機塩素化合物が、より溶解しやすい油Ｃ中に移動するからである。
更に、油Ｃに移動した有機塩素化合物は、該油Ｃをオイルスクラバー１２の油Ｃとして再利用することにより、系内を循環してアルカリ金属により分解されるため、系外に排出される虞も低減される。
【００３３】
尚、本実施形態に於いて、汚染物Ａの浄化装置は、別個のオイルスクラバー１２及び水スクラバー１７を備えて構成されたが、本発明に於いては、斯かる構成に代えて、例えば、図２に示すように、１つのスクラバー本体内１２ａにて、油Ｃ及び水Ｅを同時に散布するオイル水スクラバー１２を備える構成であっても良い。
斯かる場合に於いては、図２に示すように、オイル水スクラバー１２から排出された油水混合液を油水分離装置１３にて油Ｃと水Ｅとに分離し、分離した油Ｃを分解装置１４に供給し、水Ｅを水和装置１５に供給するように構成されていればよい。
【００３４】
更に、本実施形態に於いては、汚染物Ａとして水分を含む土を対象としたことから、オイルスクラバー１２から排出された油Ｃと水Ｅとを油水分離装置１３により油水分離する構成を採用したが、汚染物Ａとして水分を含まないもの、例えば、絶乾汚染物Ａ等を対象とする場合には、オイルスクラバー１２から排出された油Ｃを油水分離することなくそのまま分解装置１４に供給する構成を採用してもよい。
【００３５】
また、本実施形態に於いては、排ガスＤと油Ｃ（又は水Ｅ）とを接触させる装置として、スクラバー１２、１７を採用したが、本発明に於いては、例えば貯留された油Ｃ（又は水Ｅ）内に、排ガスＤを曝気することにより、排ガスＤと油Ｃ（又は水Ｅ）とを接触させる装置を採用してもよい。但し、排ガスＤの温度を効率的に下げるという観点からは、排ガスＤと油Ｃ（又は水Ｅ）を接触させる装置としてはスクラバー１２、１７を利用するのが好ましい。
【００３６】
更に、本実施形態に於いては、オイルスクラバー１２から排出された油Ｃと水Ｅとを油水分離する油水分離装置１３として、静置分離により油水分離を行う装置を採用したが、本発明に於いては、蒸留により油水分離を行う装置を採用してもよい。
【００３７】
また、本実施形態に於いては、反応促進剤として、低級アルコールを使用したが、本発明に於いては水等を使用することも可能である。
【図面の簡単な説明】
【００３８】
【図１】一実施形態の汚染物の処理装置を示す概略図。
【図２】他実施形態の汚染物の処理装置を示す概略図。
【符号の説明】
【００３９】
１・・・還元加熱装置、１０・・・排ガス処理装置、１２・・・油洗浄装置、１３・・・油水分離装置、１４・・・分解装置、１５・・・水和装置
Ａ・・・土（汚染物）、Ｃ・・・油、Ｄ・・・排ガス、Ｅ・・・水
【図１】
2006218392.tif 000003
【図２】
2006218392.tif 000004